(57)【要約】      （修正有）【課題】ＰＯＳ装置がオフラインでもアクセス許可を生成可能にする。【解決手段】アクセス許可を生成するアルゴリズムがＰＯＳ装置１にインストールされている。アルゴリズムは、鍵を使ってアンロックされた場合、ローカルでのみ実行可能である。ＰＯＳ装置の電源が投入された場合、鍵はサーバ３からＰＯＳ装置に送信され、もしサーバに接続されていない場合、ＰＯＳ装置にインストールされたアルゴリズムは鍵を使って実行され、アクセス許可が生成および暗号化されてオフライン時生成アクセス許可としてラベル付けされ、ＰＯＳ装置のエンコード装置２を使って顧客媒体にエンコードされる。ＰＯＳ装置がオフライン状態でアクセス制御が実行された場合、アクセス許可はアクセス制御装置４によって読み出され、オフライン時生成アクセス許可として認識され、アクセス許可の有効性がＰＯＳ装置によってエンコードされたデータに基づいて確認される。【選択図】図１
2019032835.tif 000002
【特許請求の範囲】
【請求項１】
サーバ（３）と、少なくとも一つのアクセス制御装置（４）と、アクセス制御システムによってカバーされる範囲に対するアクセス許可のための少なくとも一つのＰＯＳ装置（１）と、を有するアクセス制御システムの動作方法において、前記アクセス許可を生成および暗号化するためのアルゴリズムが前記少なくとも一つのＰＯＳ装置（１）にインストールされており、前記少なくとも一つのＰＯＳ装置（１）にインストールされた前記アルゴリズムは、鍵を使ってアンロックされた場合、ローカル、すなわち前記少なくとも一つのＰＯＳ装置（１）でのみ実行可能であり、ＰＯＳ装置（１）の電源が投入又はスイッチがオンされた場合、前記ＰＯＳ装置（１）にインストールされたアクセス許可を生成し暗号化するための前記アルゴリズムをアンロックするための前記鍵は前記サーバ（３）から前記ＰＯＳ装置（１）に送信され、ＰＯＳ装置（１）が前記サーバ（３）に接続されている場合、前記ＰＯＳ装置（１）はアクセス許可をサーバ（３）に要求し、該アクセス許可は前記サーバ内で生成および暗号化されて前記サーバ（３）から前記ＰＯＳ装置（１）に送信され、その後前記アクセス許可は前記ＰＯＳ装置（１）のエンコード装置（２）によって顧客媒体に対してエンコードされ、前記エンコードされたアクセス許可の有効性に関する情報が前記サーバ（３）から前記少なくとも一つのアクセス制御装置（４）に転送され、アクセス制御のために前記アクセス許可は各アクセス制御装置（４）によって読み出されて前記アクセス許可の有効性が前記サーバ（３）から送信された情報に基づいて確認され、ＰＯＳ装置（１）が前記サーバ（３）に接続されていない場合、前記ＰＯＳ装置（１）にインストールされた前記アルゴリズムは前記ＰＯＳ装置（１）にインストールされたアルゴリズムをアンロックするための前記鍵を使って実行され、前記ＰＯＳ装置（１）にインストールされた前記アルゴリズムを用いてアクセス許可が生成および暗号化されオフライン時生成アクセス許可としてラベル付けされ、該アクセス許可はその後前記ＰＯＳ装置（１）の前記エンコード装置（２）を使って顧客媒体にエンコードされ、前記ＰＯＳ装置（１）が前記サーバ（３）に接続されていない状態でアクセス制御が実行された場合、前記オフライン時生成アクセス許可はアクセス制御装置（４）によって読み出され、前記ラベル付けされていることからオフライン時生成アクセス許可として認識され、該アクセス許可の有効性が前記ＰＯＳ装置（１）によってエンコードされたデータに基づいて確認され、前記ＰＯＳ装置（１）がその後前記サーバ（３）に接続された場合、前記オフラインモードにおいて前記ＰＯＳ装置（１）によって生成された前記アクセス許可に関する情報は前記ＰＯＳ装置（１）から前記サーバ（３）に送信され、前記サーバ（３）は前記アクセス許可の有効性に関する情報を少なくとも一つのアクセス制御装置（４）に送信し、前記ＰＯＳ装置（１）がオンラインモードに変更された後に、オフラインモードにおいて前記ＰＯＳ装置（１）によって生成されたアクセス許可に関するアクセス制御処理が行われた場合、前記オフライン時生成アクセス許可が前記アクセス制御装置（４）によって前記顧客媒体から読み出され、前記サーバ（３）から送信された情報に基づいてアクセス許可が前記顧客媒体に対してエンコードされ、前記アクセス許可の有効性がその後確認されることを特徴とする、アクセス制御システムの動作方法。
【請求項２】
サーバ（３）と、少なくとも一つのアクセス制御装置（４）と、アクセス制御システムによってカバーされる範囲に対するアクセス許可のための少なくとも一つのＰＯＳ装置（１）と、を有する請求項１に記載のアクセス制御システムの動作方法において、前記ＰＯＳ装置（１）が前記サーバ（３）に接続されていない状態でアクセス制御が実行された場合、前記アクセス制御装置（４）によって時間制限型有効性が前記顧客媒体にエンコードされ、前記ＰＯＳ装置（１）がオンラインモードに変更された後にアクセス制御動作が行われた場合、前記時間制限型有効性が削除されることを特徴とする。
【発明の詳細な説明】
【技術分野】
【０００１】
本発明は、請求項１の序文に記載されたとおり、サーバと、少なくとも一つのアクセス制御装置と、アクセス制御システムによってカバーされる範囲に対するアクセス許可のための少なくとも一つのＰＯＳ装置と、を有するアクセス制御システムの動作方法に関する。
【背景技術】
【０００２】
従来より、サーバと、サーバに接続されデータを通信可能な少なくとも一つのアクセス制御装置と、を有するアクセス制御システムが知られている。アクセス制御システムによってカバーされる範囲に対するアクセス許可を販売するためには、アクセス許可が購入された場合、エンコード装置を用いて、RFID規格、好ましくはＩＳＯ１５６９３規格に基づいて、サーバとデータ通信を行うために接続された販売時点情報管理（ＰＯＳ）装置により、アクセス許可が顧客媒体に対してエンコードされる販売時点情報管理が提供される。この場合、アクセス許可は、サーバにおいて生成および暗号化される。
【０００３】
従来技術によると、アクセス権を生成および暗号化するためのアルゴリズムはサーバに保存され、サーバと通信する目的でサーバに接続されているＰＯＳ装置には配布されない。アクセス許可はサーバにおいて生成および暗号化されて、サーバとデータを通信する目的でサーバに接続されているＰＯＳ装置を介して、顧客媒体に対してエンコードされる。ここで、各アクセス許可の有効性に関するアクセス許可情報はコード化された後、サーバからアクセス制御装置に送信される。
【発明の概要】
【発明が解決しようとする課題】
【０００４】
不都合なことに、従来の技術においては、販売端末においてはアクセス許可を生成および暗号化することが出来ないことから、ネットワーク障害の際には、すなわちＰＯＳ装置がオフラインモードの際には、アクセス許可の販売をすることが出来ない。
【０００５】
本発明の目的は、サーバと、少なくとも一つのアクセス制御装置と、アクセス制御システムによってカバーされる範囲に対するアクセス許可のための少なくとも一つのＰＯＳ装置と、を有するアクセス制御システムの動作方法を明示することにあり、当該方法を実施することにより、アクセス制御システムのＰＯＳ装置がオフラインモードにあるとき、アクセス制御システムの動作、特にアクセス許可の販売が維持される。
【課題を解決するための手段】
【０００６】
この目的は本出願の請求項にかかる特徴により達成される。従属項の内容は、これに対する有利な追加的特徴である。
【０００７】
このため、サーバと、少なくとも一つのアクセス制御装置と、アクセス制御システムによってカバーされる範囲に対するアクセス許可のための少なくとも一つのＰＯＳ装置と、を有するアクセス制御システムの動作方法において、アクセス許可を生成および暗号化するためのアルゴリズムが少なくとも一つのＰＯＳ装置にインストールされ、該アルゴリズムは鍵を使ってアンロックされた場合、ローカルでのみ、すなわち前記少なくとも一つのＰＯＳ装置でのみ、実行可能とすることが提案されている。
【０００８】
本発明によると、ＰＯＳ装置の電源を投入又はスイッチをオンしたとき、ＰＯＳ装置にインストールされたアクセス許可を生成および暗号化するアルゴリズムをアンロックするための鍵が、サーバからＰＯＳ装置に転送され、オンライン状態においては、すなわちＰＯＳ装置がサーバに接続されているときには、ＰＯＳ装置がサーバに対してアクセス許可を要求し、該アクセス許可はサーバにおいて生成および暗号化されてサーバからＰＯＳ装置に送信され、該アクセス許可は、ＰＯＳ装置の有するエンコード装置を利用して顧客媒体に対してエンコードされる。その後、コード化されたアクセス許可の有効性に関する情報が、サーバから少なくとも一つのアクセス制御装置に送信され、アクセス制御のために、該アクセス許可は各アクセス制御装置によって読み出され、サーバから送信された情報に基づいて、アクセス許可の有効性が確認される。
【０００９】
オフライン状態においては、すなわちＰＯＳ装置がサーバに接続されていないときには、ＰＯＳ装置にインストールされたアルゴリズムは、ＰＯＳ装置にインストールされたアルゴリズムをアンロックするための鍵を利用して実行され、ＰＯＳ装置にインストールされたアルゴリズムを利用してアクセス許可が生成および暗号化されて、オフライン時生成アクセス許可とラベル付けされた後、このアクセス許可はＰＯＳ装置のエンコード装置を使って顧客媒体に対してエンコードされる。
【００１０】
ＰＯＳ装置がサーバに接続されていない状態でアクセス制御が実行された場合、オフライン時生成アクセス許可がアクセス制御装置によって読み出され、ラベル付けに基づいて該アクセス許可がオフライン時生成アクセス許可であると認識され、該アクセス許可の有効性はＰＯＳ装置によってエンコードされたデータに基づいて確認される。
【００１１】
その後、ＰＯＳ装置が通常の動作状態に対応するオンラインモードに入った場合、オフラインモード状態のＰＯＳ装置によって生成されたアクセス許可に関する情報がＰＯＳ装置からサーバに送信され、それに対応してサーバからはアクセス許可の有効性に関する情報が少なくとも一つのアクセス制御装置に送信される。
【００１２】
ＰＯＳ装置がオンラインモードに変わった後に、ＰＯＳ装置がオフラインモードの際に生成されたアクセス許可に関するアクセス制御処理が行われた場合、アクセス制御装置によって顧客媒体からオフライン時生成アクセス許可が読み出され、サーバから送信される情報に基づいてアクセス許可が顧客媒体に対してエンコードされ、アクセス許可の有効性がその後確認される。
【００１３】
本発明の広がりの一部として、ＰＯＳ装置がサーバに接続されていないときにアクセス制御が行われた場合、時間制限型有効性、つまり該アクセス許可が特定の時間経過後には無効になるという情報、がアクセス制御装置によって顧客媒体に対してエンコードされ、ＰＯＳ装置がオンラインモードに変わった後にアクセス制御動作が行われた場合、この時間制限型有効性は削除される。
【図面の簡単な説明】
【００１４】
【図１】本発明の方法の特徴を示すシーケンス図。
【発明を実施するための形態】
【００１５】
以下に、本発明の方法の特徴を示すシーケンス図である添付図面に沿って、本発明の実施の形態をさらに詳細に説明する。
【００１６】
本発明によると、アクセス許可を生成および暗号化するためのアルゴリズムはアクセス制御システムの少なくとも一つのＰＯＳ装置にインストールされ、この少なくとも一つのＰＯＳ装置にインストールされたアルゴリズムは、鍵を使用してアンロックすることによってのみ実行可能である。添付の図に示すように、ＰＯＳ装置１の電源が投入又はスイッチがオンされると、ＰＯＳ装置１にインストールされたアクセス許可を生成し暗号化するためのアルゴリズムをアンロックするための鍵が、サーバ３からＰＯＳ装置１に送信される（ステップ１）。
【００１７】
ＰＯＳ装置１がオンラインモードにある場合、ＰＯＳ装置１はアクセス許可をサーバ３に対して要求し、サーバ３はアクセス許可を生成し暗号化して、サーバ３からＰＯＳ装置に送信し（ステップ２）、該アクセス許可はその後、ＰＯＳ装置１のエンコード装置２を利用して、顧客媒体に対してエンコードされる（ステップ３）。
【００１８】
その後、該コード化されたアクセス許可の有効性に関する情報が、サーバ３からアクセス制御システムの少なくとも一つのアクセス制御装置４に送信され（ステップ４）、ここでアクセス制御の目的で、該アクセス許可は各アクセス制御装置によって読み出され（ステップ５）、サーバ３から送信された情報に基づいてアクセス許可の有効性が確認される。
【００１９】
ＰＯＳ装置がオフラインモードにあるとき、ＰＯＳ装置１にインストールされたアルゴリズムはＰＯＳ装置１にインストールされたアルゴリズムをアンロックするための鍵を使って実施され、ここでＰＯＳ装置１にインストールされたアルゴリズムによって、アクセス許可が生成および暗号化され、オフライン時生成アクセス許可としてラベル付けされ（ステップ７）、このアクセス許可はＰＯＳ装置のエンコード装置によって、顧客媒体に対してエンコードされる（ステップ８）。
【００２０】
ＰＯＳ装置１がサーバ３に接続されていない状態でアクセス制御が行われた場合、アクセス制御装置によってオフライン時生成アクセス許可が読み出され（ステップ９）、オフライン時生成アクセス許可としてラベル付けされていることに基づき、該許可はそのように認識され、ＰＯＳ装置１のエンコード装置２によってエンコードされたデータに基づいてその有効性が確認され（ステップ１０）、時間制限型の有効性に対する制限、つまりアクセス許可が特定時間経過後に無効になるという情報が顧客媒体に対してエンコードされる（ステップ１１）。
【００２１】
その後ＰＯＳ装置１がオンラインモードに変わった場合、オフラインモード中にＰＯＳ装置１によって生成されたアクセス許可に関する情報はＰＯＳ装置１からサーバ３に送信され（ステップ１２）、サーバ３はアクセス許可の有効性に関する情報をアクセス許可システムの少なくとも一つのアクセス制御装置４に送信する（ステップ１３）。
【００２２】
オフラインモード中に、すなわちサーバ３に接続されていない状態で、ＰＯＳ装置１によって生成されたアクセス許可に続いてアクセス制御が行われた場合、オフライン時生成アクセス許可がアクセス制御装置によって読み出され（ステップ１４）、ＰＯＳ装置１がオフラインモードにある間にアクセス制御装置４によって顧客媒体が確認されたことを意味する時間制限型有効性が顧客媒体にエンコードされていた場合、該時間制限型有効性は削除され、サーバ３から送信された情報に基づいて顧客媒体にアクセス許可がエンコードされ（ステップ１５）、その後、アクセス許可の有効性が確認される。
【００２３】
ＰＯＳ装置１がオフラインモードの間に顧客媒体の確認が行われていなかった場合、すなわち、時間制限型有効性が顧客媒体にエンコードされていない場合、サーバから送信されたアクセス許可の有効性に関する情報に基づいて、アクセス許可が顧客媒体にエンコードされ（ステップ１６）、該アクセス許可の有効性がその後確認される。
【図１】
2019032835.tif 000003
【外国語明細書】
2019032835000001.pdf